(57)【要約】【課題】  グラウトの注入状況を的確に把握しながらシース内の残留空隙をなくすＰＣグラウトの注入方法を提供する。【解決手段】  シース２は一端に緊張部４、他端に定着部５、その間に下方屈曲部６及び上方屈曲部７を形成する。下方屈曲部６と定着部５にはグラウト注入ホース８を連結し、上方屈曲部７には排気口を兼用するカメラ挿入口９を設け、緊張部４側にはグラウト確認ホース１０を接続する。グラウトは下方屈曲部６に接続するグラウト注入ホース８の頂部より自然流下させシース２内を下方より充填し上方屈曲部７を超過する前に注入を停止する。この時の充填状況はカメラによって確認しつつ順次引き出しながら注入作業を行なう。次いで定着部５に接続するグラウト注入ホース８よりグラウトを注入する。【選択図】        図１
2011021463.tif 000002
【特許請求の範囲】
【請求項１】
ポストテンション方式のプレストレストコンクリート構造物を製作する際、ＰＣ鋼材を挿通するシースの一端部に緊張部、他端部に定着部を設け、これらの中間に少なくとも一の下方屈曲部を形成し、前記シースに連結する注入口よりシース内にグラウトを注入し、排気口でシース内の空気を排出しながら排出口でグラウトの流出を確認するＰＣグラウトの注入方法において、前記注入口は、前記下方屈曲部に設け、これより上方のシースにＣＣＤカメラの挿入口を開設し、グラウトの上昇をＣＣＤカメラにて視認しながら充填することを特徴とするＰＣグラウトの注入方法。
【請求項２】
前記下方屈曲部と前記緊張部の間、又は前記下方屈曲部と前記定着部の間に上方屈曲部を有し、この上方屈曲部に前記ＣＣＤカメラ挿入口を開設すると共に、上方屈曲部を挟んで前記下方屈曲部と反対方向に位置するシースに第二注入口を連結し、前記下方屈曲部より注入するグラウトが上方屈曲部を超過する前に注入を停止し、次いで前記第二注入口よりグラウトを注入し、ＣＣＤカメラにてグラウトが上方屈曲部まで上昇することを確認しながら充填することを特徴とする請求項１記載のＰＣグラウトの注入方法。
【請求項３】
前記上方屈曲部の前記ＣＣＤカメラ挿入口近傍の内面にグラウト面到達視認具を突設し、前記下方屈曲部より上昇するグラウト面をＣＣＤカメラ及びこの視認具にて確認しながら前記注入停止作業を行なうことを特徴とする請求項２記載のＰＣグラウトの注入方法。
【請求項４】
前記グラウト面到達視認具は、シース内空に高さ調整可能に垂下し、グラウト面の停止予定高さから下方に光反射板を付設するものであることを特徴とする請求項３記載のＰＣグラウトの注入方法。
【請求項５】
前記第二注入口は、前記緊張部又は前記定着部の一方に付設するものであって、この注入口を設けない他方の端部にはグラウト確認口を設け、前記下方屈曲部より注入するグラウトの上昇又は流出を確認して充填することを特徴とする請求項２記載のＰＣグラウトの注入方法。
【請求項６】
前記第二注入口は、前記上方屈曲部と前記定着部の間、又は前記上方屈曲部と前記緊張部の間に形成する第二下方屈曲部に付設するものであって、前記緊張部及び前記定着部にはグラウト確認口を設け、グラウトの上昇又は注入を確認して充填することを特徴とする請求項２記載のＰＣグラウトの注入方法。
【請求項７】
前記グラウトは、低粘性かつ高流動性型のグラウトを用い、ＣＣＤカメラにて視認する際のグラウトより気泡上昇が発生しない低速の注入速度とすることを特徴とする請求項１、請求項２記載のＰＣグラウトの注入方法。
【発明の詳細な説明】
【技術分野】
【０００１】
この発明は、ポストテンション方式のプレストレストコンクリート構造物を製作する際のシースへのグラウト注入方法に関し、特にシース内に空隙を残存させないグラウトの注入方法に関するものである。
【背景技術】
【０００２】
プレストレストコンクリート（以下ＰＣと略す）構造物をポストテンション方式で製作する場合で、ＰＣ鋼材をコンクリート部材内に有する内ケーブル方式では、ＰＣ鋼材を挿通したシースを打設するコンクリート内に配置し、コンクリートが硬化した後、ＰＣ鋼材に緊張力を与え、その後シース内にグラウト材を充填している。
【０００３】
ＰＣグラウトは、ポストテンション方式のＰＣ構造物において、シース内のＰＣ鋼材と部材コンクリートに付着を与え、両者を一体化させると共に，ＰＣ鋼材を腐食から保護するという役目を担っている。
【０００４】
ＰＣ鋼材は、導入された緊張力により高い応力状態にあり、シース内にグラウトの未充填部がある場合、水分あるいは腐食性物質により極微小の傷から発生する錆により断面欠損が生じて破断するおそれがある。
【０００５】
シース内に空隙を残存させないＰＣグラウトの注入方法としては、例えば下記に示すような従来技術が開示されていた。
【特許文献１】特許第３５２１９０９号公報
【０００６】
このグラウト注入方法は、空気溜まりの生じやすい長さ部分について、ＰＣ鋼材の曲がり部付近や高位置部付近に透明なシースを用いた先行試験用ケーブルを設置してグラウト注入試験を行なうことにより、充填中の状況、充填完了からグラウト硬化後の充填状況を確認し、その後の現場施工においてシース内に空気溜りを残存させないような最適条件、即ちグラウトの排出パイプ・空気の排気パイプの取付箇所、本数・口径、グラウトの成分配合組成、グラウトの水セメント比等を適宜選定するものであった。
【発明の開示】
【発明が解決しようとする課題】
【０００７】
しかし、この従来の注入方法においては、あくまで本体施工前の試験における充填状況が把握されるのみで、本体での充填を確認しているものではなく、選定された条件で完全に空気溜りが残存し無かったか否かは判断できなかった。
【０００８】
ところでＰＣ構造物ではプレストレスを有効に利用し、より軽量で合理的な構造体とするため、ＰＣ鋼材を曲げモーメント分布に沿った形状で配置している。本来グラウトの注入は低い所から注入し、高い所で排出するのが自然の原則であるが、上記の従来技術を含め、単純桁、連続桁の従来のＰＣグラウトはその逆方向から注入されていた。
【０００９】
図１０に連続桁形状のシースにあって従来の注入方法におけるＰＣグラウトの流れを示す。桁端部の注入口１０８よりシース１０２の下り勾配に向かって注入すると、ＰＣグラウト１１８はシース１０２の断面に充満することなくシース底部に沿って流下する（図１０（ａ））。ＰＣグラウト１１８の先端が、シース１０２の下方屈曲点１０６を通過し、上り勾配区間に入ると、ＰＣグラウト１１８の流動抵抗が増し、先端部はシース断面を充満する状況となるが、この時、注入側の定着具背後の下り勾配のシース１０２内に流れによる気泡が発生し空気層１２０が残留することになる（同（ｂ））。
【００１０】
更にＰＣグラウト１１８の先端がシース１０２の上方屈曲点１０７を通過し、再度下り勾配に入ると、先流れ現象が生じシース断面上部に流れによる気泡が発生し空気層を残して、次の下方屈曲点１１６に向かって自然流下する（同（ｃ））。更にＰＣグラウト１１８の先端が次の下方屈曲点１１６を通過すると、この下り勾配部においてもシース断面上部に空気層１２０が残ることになる（同（ｄ））。
【００１１】
従来のＰＣグラウト注入方法では図１１に示すように、シース１０２に対し、一端に注入口１０８と排気口１０９、他端に排気口兼用の排出口１１９を設け、又中央のクラウン部１０７付近に中間排気口１０９並びに第二注入口１０８を設けていた。グラウト注入後に残留空隙が発生する場合には中間排気口１０９を使って残留空気を排出し、第二注入口１０８より再注入を行なって充填していた。
【００１２】
このように排出口や排気口、更には注入口を多数設定し、又先流れ防止等のためグラウトの成分配合組成等を種々選定していたが、ＰＣ桁のグラウト調査の結果では、下り勾配を形成する部分、あるいは注入口や排出口付近に未だ空隙が見られる状況があった。
【００１３】
又従来のＰＣグラウト注入方法では、先流れ現象を防止するため高粘性のグラウトを用いるのが一般的であったが、図１２に示すように多数本のＰＣ鋼材１０３に囲まれた空隙１２１にはグラウト１１８が浸入できず、充填後の気泡移動により上方屈曲部１０７付近に残留空隙箇所が発生する恐れがあった。
【００１４】
ＰＣグラウト注入の問題は、過去何十年間にも亘って議論され研究されてきており、又近年の技術革新により種々の充填確認方法、例えば超音波伝播速度、アコースティックエミッション、Ｘ線等を利用したり、自然電位や分極抵抗等を検査することによりグラウトの未充填部分を推定する方法等が発表されているが、完全なグラウト充填方法は未だ確定されていないのが現状である。
【００１５】
この発明は、従来のＰＣグラウトの注入方法が有する上記の問題点を解消すべくなされたものであり、グラウトの注入状況を的確に把握しながらシース内の気泡及び残留空隙をなくすＰＣグラウトの注入方法を提供することを目的としている。
【課題を解決するための手段】
【００１６】
上記課題を解決するため、この発明のＰＣグラウトの注入方法は、ポストテンション方式のプレストレストコンクリート構造物を製作する際、ＰＣ鋼材を挿通するシースの一端部に緊張部、他端部に定着部を設け、これらの中間に少なくとも一の下方屈曲部を形成し、前記シースに連結する注入口よりシース内にグラウトを注入し、排気口でシース内の空気を排出しながら排出口でグラウトの流出を確認するＰＣグラウトの注入方法において、前記注入口は、前記下方屈曲部に設け、これより上方のシースにＣＣＤカメラの挿入口を開設し、グラウトの上昇をＣＣＤカメラにて視認しながら充填することを特徴とするものである。
【００１７】
ＣＣＤカメラとしては、例えば工業用ビデオ内視鏡を用いる。これは先端部にＣＣＤ（Ｃｈａｒｇｅ  Ｃｏｕｐｌｅｄ  Ｄｅｖｉｃｅ；電荷結合素子）と呼ばれる回路素子を用いて転送を行うイメージセンサを搭載するもので、スコープ先端部の超小型ＣＣＤにてシース内部を撮影し、その映像をモニターで確認する。グラウトが下方屈曲部から上昇してくるのを逐次確認するため、ＰＣケーブルは上方から下方屈曲部付近まで差し入れる。ＰＣケーブルの上下交差箇所を交わして挿入し得るようカメラ外径とシース内クリアランスを適宜選択する。
【００１８】
下方屈曲部に設ける注入口は、例えばシースに突設する分岐管にグラウト注入ホースを連結し、このホースの上部よりヘッド差を利用して自然流下させるか、あるいは適宜ポンプ圧送する。
【００１９】
請求項２記載のＰＣグラウトの注入方法は、前記下方屈曲部と前記緊張部の間、又は前記下方屈曲部と前記定着部の間に上方屈曲部を有し、この上方屈曲部に前記ＣＣＤカメラ挿入口を開設すると共に、上方屈曲部を挟んで前記下方屈曲部と反対方向に位置するシースに第二注入口を連結し、前記下方屈曲部より注入するグラウトが上方屈曲部を超過する前に注入を停止し、次いで前記第二注入口よりグラウトを注入し、ＣＣＤカメラにてグラウトが上方屈曲部まで上昇することを確認しながら充填することを特徴とするものである。
【００２０】
連続桁のＰＣ鋼材配置によってクラウン部が形成される場合には、この上方屈曲部に排気口及びカメラ挿入口を設ける。グラウトの上昇をカメラによって確認しつつカメラを引き出しながら、グラウトが最上位点まで達したら一旦注入を中止する。第二注入口は、下方屈曲部と同等の低位置、あるいはこれに準ずる低位置とし、これよりグラウトを注入し、同様にカメラで確認しつつ、桁面上部までグラウトを注入する。
【００２１】
請求項３記載のＰＣグラウトの注入方法は、前記上方屈曲部の前記ＣＣＤカメラ挿入口近傍の内面にグラウト面到達視認具を突設し、前記下方屈曲部より上昇するグラウト面をＣＣＤカメラ及びこの視認具にて確認しながら前記注入停止作業を行なうことを特徴とするものである。
【００２２】
グラウトは上方屈曲部を超過する直前の水平面で注入を停止するのであるが、この停止高さをグラウト面到達視認具に表示する。停止高さはグラウト未到達時に視認可能で到達時にはグラウト内に没する構成とする。
【００２３】
請求項４記載のＰＣグラウトの注入方法のグラウト面到達視認具は、シース内空に高さ調整可能に垂下し、グラウト面の停止予定高さから下方に光反射板を付設するものであることを特徴とする。
【００２４】
視認具の上端はシース外部に突出しており、ＰＣ構造物の部材コンクリート打設前にその高さ調整を行なう。グラウトが光反射板の領域に到達したら注入速度を落とし、徐々に減少する反射光が見えなくなった時点で注入を停止する。
【００２５】
請求項５記載のＰＣグラウトの注入方法における前記第二注入口は、前記緊張部又は前記定着部の一方に付設するものであって、この注入口を設けない他方の端部にはグラウト確認口を設け、前記下方屈曲部より注入するグラウトの上昇又は流出を確認して充填することを特徴とするものである。
【００２６】
請求項６記載のＰＣグラウトの注入方法における前記第二注入口は、前記上方屈曲部と前記定着部の間、又は前記上方屈曲部と前記緊張部の間に形成する第二下方屈曲部に付設するものであって、前記緊張部及び前記定着部にはグラウト確認口を設け、グラウトの上昇又は注入を確認して充填することを特徴とするものである。
【００２７】
請求項７記載のＰＣグラウトの注入方法の前記グラウトは、低粘性かつ高流動性型のグラウトを用い、ＣＣＤカメラにて視認する際のグラウトより気泡上昇が発生しない低速の注入速度とすることを特徴とするものである。
【００２８】
ＰＣ鋼材に囲まれた領域にも充填し得る性状のグラウトを用い、残留空気を生じさせないような注入速度とする。
【発明の効果】
【００２９】
この発明のＰＣグラウトの注入方法は、注入口を下方屈曲部に設けるので、グラウト注入の原則に則り、低い所から注入し高い所で排出することができる。又グラウトの上昇をＣＣＤカメラにて視認しながら充填するので、グラウトの注入状況を的確に把握しながらシース内の残留空隙をなくすことができる。又、ＰＣグラウトの注入状況の映像を保存することで後日施工状況を確認することができる。
【００３０】
請求項２記載のＰＣグラウトの注入方法は、クラウン部である上方屈曲部にＣＣＤカメラ挿入口を開設し、下方屈曲部と同等あるいはこれに準ずる低位置に第二注入口を設け、上方屈曲部を超過する前に注入を停止し、次いで第二注入口よりグラウトを注入するので、グラウトの先流れを防止することができる。
【００３１】
請求項３記載のＰＣグラウトの注入方法は、グラウト面到達視認具で上昇するグラウト面を確認するので、注入停止位置を正しく把握できる。
【００３２】
請求項４記載のＰＣグラウトの注入方法のグラウト面到達視認具は、付設する光反射板の高さを事前に調整することができるので、正確な注入停止面を決められる。又、光反射板に余裕長さを設けるので、注入速度の加減が可能となり、定められた高さで正しい注入停止が実現できる。
【００３３】
請求項５記載のＰＣグラウトの注入方法は、第二注入口を緊張部又は定着部の一方に付設するもので、連続する長大なＰＣ桁のグラウト注入に適用することができる。
【００３４】
請求項６記載のＰＣグラウトの注入方法は、第二注入口を第二下方屈曲部に付設するので、多径間連続桁のグラウト注入に適用することができる。
【００３５】
請求項７記載のＰＣグラウトの注入方法は、低粘性かつ高流動性型のグラウトを用い、低速の注入速度とするので、ＰＣ鋼材に囲まれた領域にも確実な充填が可能となり、残留空気の発生がなくなる。
【発明を実施するための最良の形態】
【００３６】
次にこの発明の実施の形態を添付図面に基づき詳細に説明する。図１は内ケーブル方式のＰＣ桁に埋設するシース部分を抜き出してその配置を示す側面図である。コンクリート１内に配置されるシース２はＰＣ鋼材３を挿通し、一端に緊張部４、他端に定着部５を設ける。シース２は緊張部４側から下降して下方屈曲部６を形成し、その後上昇して上方屈曲部７を形成した後、再度下降して定着部５に至る。
【００３７】
下方屈曲部６にはグラウト注入ホース８を連結し、上方屈曲部７には排気口を兼用するカメラ挿入口９を設ける。又下方屈曲部６と同等の低位置にある定着部５にもグラウト注入ホース８を連結し、緊張部４側にはグラウト確認ホース１０を接続する。
【００３８】
シース２内のＰＣ鋼材３は図２の断面図に示すように、上方屈曲部７ではシース底部に位置するが（図２（ａ））、下方屈曲部６ではシース天井面に移動し（同（ｂ））、両端部ではシース中央に位置している（同（ｃ））。
【００３９】
次にシースに連結する部材の詳細を図３乃至図５に基づき説明する。図３は緊張部の拡大断面図、図４は下方屈曲部の拡大断面図、図５は上方屈曲部の拡大断面図である。緊張部４側のコンクリート１の表面部付近には支圧板１１が一部埋設された形状で配設され、その外部にはアンカーヘッド１２を内設するグラウトキャップ１３が取り付けられる。このグラウトキャップ１３に突設する管体にグラウト確認ホース１０が連結している。
【００４０】
下方屈曲部６のシース２はこれを内設する管体１４にて密着接続されており、この管体１４に突設し、シース内面に連通する分岐管１４ａにグラウト注入ホース８を連結する。このグラウト注入ホース８はコンクリート１内に埋設して桁上面まで延伸するものであるが、下方若しくは側方よりコンクリート外部に露出するものでもよい。
【００４１】
上方屈曲部７のシース２は三股分岐管１５にて接続されており、コンクリート１の外面に突出する筒体１６は排気口兼用のカメラ挿入口を形成する。挿入されるカメラ１７は超小型ＣＣＤにてシース２の内部を撮影する。ＣＣＤカメラ１７のコード１７ａはコード巻取器１７ｂに収納され、更に録画装置１７ｃに接続する。現在このようなＣＣＤカメラによるシース内の撮影は約１２ｍ程度が限界となっており、一般のＰＣ桁のシース内部全体を端部から撮影するのは困難であるが、このように上方屈曲部７にカメラ挿入口を設ける方法で行なえば充分可能となる。
【００４２】
グラウトは下方屈曲部６に接続するグラウト注入ホース８の頂部より自然流下させ、ヘッド差を利用してシース２内を下方より充填し、図６に示すようにグラウト１８が上方屈曲部７を超過する前に注入を停止する。この時充填状況はカメラ１７によって確認しつつ、カメラを順次引き出しながら注入作業を行なう。
【００４３】
しかし、シース２の中はＰＣ鋼材３によってその断面の約４０％程度が占められているため、視認可能な空間が狭くグラウト１８の正確な高さ確認をＣＣＤカメラ１７のライトによる光だけで行なうことは難しい。
【００４４】
そこで、この注入停止位置を正しく確認するため、図７及び図８に示すグラウト面到達視認具を用いる。図７は上方屈曲部付近の拡大断面図、図８はグラウト面到達視認具の取付状態を示す拡大断面図である。
【００４５】
グラウト面到達視認具１９は、上方屈曲部７のカメラ挿入口９よりグラウト注入側に幾分離れた位置のシース上半部に取り付けるもので、その上端はシース外部に突出し、下端はシース内空に高さ調整可能に垂下する。この視認具１９は、例えばφ８ｍｍ程度のプラスチック製のボルト１９ａを用い、その先端部を平面に加工し、これに反射シール１９ｂを貼付する。
【００４６】
反射シール１９ｂの長さＬは約２０ｍｍ程度とし、その上端高さＡをグラウト注入停止面、即ち上方屈曲部７におけるシース２の底部高さに設定する。この高さ調整が正確に実施できるよう、プラスチック製のボルト１９ａはシース２に対してテーパー座金１９ｃ、ナット１９ｄにより取り付けられており、ＰＣ構造物の部材コンクリート１の打設前にボルトの頭部高さＢを測定し、これを正しくセットする。
【００４７】
グラウト１８は、低粘性かつ高流動性型のグラウトが望ましく、その注入速度はＣＣＤカメラ１７にてグラウト面を視認する際、気泡上昇が発生しない程度の低速とする。このような性状のグラウト１８を低速で注入すると、その上昇面は略水平となるため均等な高さでの停止が可能となる。
【００４８】
この水平面が上昇して図８に示すようにグラウト１８が反射シール１９ｂの下端に到達したら注入速度をより低速に落とし、徐々に減少する反射光が見えなくなった時点、即ち高さＡに達した時点で注入を停止する。これによりグラウト１８が上方屈曲部７を超過することがなく、予定された停止高さＡでの水平面が実現される。
【００４９】
このようにして所定高さまでの注入が終了したら、次いで定着部５に接続するグラウト注入ホース８よりグラウトを注入し、筒体１６から挿入するカメラ１７にて確認しながら、グラウト１８が上方屈曲部７の反対側の水平面Ａに到達するまで押し上げる。
【００５０】
なお、この上方屈曲部７の反対側の水平面Ａを確認するため、こちら側にも別のグラウト面到達視認具を設置しても良い。水平面Ａに到達したグラウト１８はその後の注入により全体的に均等な高さで上昇し、最終的には筒体１６上面まで充填する。
【００５１】
緊張部４側では先のグラウト注入時にグラウト確認ホース１０からグラウトが流出し、このグラウトの濃度が所定の濃度となったのを確認した後、排出口を閉じる。なお、緊張部４側にもカメラ挿入口を開設し、グラウトの上昇を確認しながら注入してもよい。
【００５２】
次に２径間連続桁のグラウト注入方法について図９に基づき説明する。図９は２径間連続桁に埋設するシース部分を抜き出してその配置を示す側面図である。シース２２は一端に緊張部２４、他端に定着部２５を設け、夫々の端部から下降して下方屈曲部２６，３６を形成し、その中間に上方屈曲部２７を形成する。
【００５３】
各下方屈曲部２６，３６にはグラウト注入ホース８，８を連結し、上方屈曲部２７には排気口２９及びカメラ挿入口３０を設ける。又緊張部２４及び定着部２５側にはグラウト確認ホース１０，１０を接続する。
【００５４】
このシース２２の場合も一の下方屈曲部２６より充填し、グラウトが上方屈曲部２７を超過する前に注入を停止し、次いで第二の下方屈曲部３６より再注入行なう。
【００５５】
この発明のＰＣグラウトの注入方法における利点は、ＣＣＤカメラ、グラウト攪拌機、ホッパー、ビニールホース（バルブ付）を準備し、注入口及び排出口を取り付けるのみで確実な施工を行なうことができ、他の測定機器等を備えたり、又測定機器の管理等高度な技術を必要とせず、特に経済的に安価である上、管理が完全にでき、又機械等の使用がないので安全に施工することも可能であり、施工期間も短くできる。
【産業上の利用可能性】
【００５６】
この発明のＰＣグラウトの注入方法は、ＰＣ鋼材をコンクリート部材の外側に有する外ケーブル方式においても適用できる。
【図面の簡単な説明】
【００５７】
【図１】ＰＣ桁に埋設するシース部分を抜き出してその配置を示す側面図である。
【図２】シース内のＰＣ鋼材の位置を示す断面図である。
【図３】緊張部の拡大断面図である。
【図４】下方屈曲部の拡大断面図である。
【図５】上方屈曲部の拡大断面図である。
【図６】上方屈曲部に上昇するグラウトの注入停止位置を示す断面図である。
【図７】上方屈曲部付近の拡大断面図である。
【図８】グラウト面到達視認具の取付状態を示す拡大断面図である。
【図９】２径間連続桁のシース部分を抜き出してその配置を示す側面図である。
【図１０】従来のＰＣグラウト注入方法の説明図である。
【図１１】従来のＰＣグラウト注入方法における注入口及び排気口の配置図である。
【図１２】従来のシース内のＰＣグラウトの充填状況を示す断面図である。
【符号の説明】
【００５８】
２  シース
３  ＰＣ鋼材
４  緊張部
５  定着部
６  下方屈曲部
７  上方屈曲部
８  グラウト注入ホース
９  カメラ挿入口
１０  グラウト確認ホース
【図１】
2011021463.tif 000003
【図２】
2011021463.tif 000004
【図３】
2011021463.tif 000005
【図４】
2011021463.tif 000006
【図５】
2011021463.tif 000007
【図６】
2011021463.tif 000008
【図７】
2011021463.tif 000009
【図８】
2011021463.tif 000010
【図９】
2011021463.tif 000011
【図１０】
2011021463.tif 000012
【図１１】
2011021463.tif 000013
【図１２】
2011021463.tif 000014